【手続補正書】
【提出日】平成28年1月4日(2016.1.4)
【手続補正１】
【補正対象書類名】特許請求の範囲
【補正対象項目名】全文
【補正方法】変更
【補正の内容】
【特許請求の範囲】
【請求項１】
複数の着色剤部分およびリンカーを含む化合物を含むエレクトロウェッティング装置であって、
記複数の着色剤部分が、第１の正味の双極子を有する第１の着色剤部分と、第２の正味の双極子を有する第２の着色剤部分とを含み、前記第１の正味の双極子および前記第２の正味の双極子が、少なくとも部分的に互いに打ち消し合うように、前記複数の着色剤部分が、前記リンカーによって結合されてそれの周囲に配設されるエレクトロウェッティング装置。
【請求項２】
前記複数の着色剤部分の各々が少なくとも１個の発色団を含む請求項１に記載のエレクトロウェッティング装置。
【請求項３】
前記化合物の正味の双極子が実質的にゼロになるように、前記複数の着色剤部分が前記リンカーの周囲に配設される請求項１または２に記載のエレクトロウェッティング装置。
【請求項４】
前記化合物が、逆流を少なくとも５０％、６０％、７０％、８０％、９０％、９５％、または９８％低減する請求項１〜３のいずれか一項に記載のエレクトロウェッティング装置。
【請求項５】
前記第１の正味の双極子および前記第２の正味の双極子が少なくとも部分的に互いに対向するように、前記第１の着色剤部分および前記第２の着色剤部分が、前記リンカーの周囲に配設される請求項１〜４のいずれか一項に記載のエレクトロウェッティング装置。
【請求項６】
前記複数の着色剤部分が、前記第１および第２の着色剤部分のみを含み、理想化された幾何学形状で描かれたとき、前記化合物が実質的に線形であり、前記第１の正味の双極子および前記第２の正味の双極子が、直線軸に沿って実質的に一致している請求項５に記載のエレクトロウェッティング装置。
【請求項７】
前記リンカーが、前記第１および第２の着色剤部分を結合させるために二価である請求項５または６に記載のエレクトロウェッティング装置。
【請求項８】
前記リンカーが、以下からなる群から選択される一般式を有し、
2016503188.tif 000001
式中、各ｎは、独立して、１、２、３、４、５、６、７、または８であり、
ＸおよびＹは各々独立して、水素（Ｈ）、ハロゲン原子、アルキル基、アルケニル基、アリール基、アルコキシ基、およびチオアルキル基からなる群から選択され、かつ／または
同じ炭素上のＸおよびＹの対は、一緒になって、オキソ基、アセタール基、またはチオアセタール基であり、
Ｔは酸素（Ｏ）または硫黄（Ｓ）である請求項７に記載のエレクトロウェッティング装置。
【請求項９】
前記リンカーが、以下からなる群から選択される式を有する請求項７に記載のエレクトロウェッティング装置。
2016503188.tif 000002
【請求項１０】
前記複数の着色剤部分が、少なくとも１個の更なる正味の双極子を有する少なくとも１個の更なる着色剤部分を含み、前記第１、第２、および少なくとも１個の更なる正味の双極子が、少なくとも部分的に互いに打ち消し合うように、前記複数の着色剤部分が、前記リンカーの周囲に配設される請求項１〜５のいずれか一項に記載のエレクトロウェッティング装置。
【請求項１１】
前記少なくとも１個の更なる着色剤部分が、第３の正味の双極子を有する第３の着色剤部分を含む請求項１０に記載のエレクトロウェッティング装置。
【請求項１２】
前記リンカーが、前記第１、第２および第３の着色剤部分を結合させるために三価である請求項１１に記載のエレクトロウェッティング装置。
【請求項１３】
前記第１、第２および第３の正味の双極子が、少なくとも部分的に互いに打ち消し合うように、前記リンカーが、前記リンカー周囲の配設において前記第１、第２および第３の着色剤部分を結合させる請求項１２に記載のエレクトロウェッティング装置。
【請求項１４】
前記リンカーが、以下からなる群から選択され、
2016503188.tif 000003
式中、各ｎは、独立して、１、２、３、４、５、６、７、または８であり、
ＱはＮまたはＰであり、
Ｘ１およびＹ１の各々は独立して、水素原子（Ｈ）およびアルキル基からなる群から選択され、かつ／または
同じ炭素上のＸ１およびＹ１の対は、一緒になって、オキソ基である請求項１３に記載のエレクトロウェッティング装置。
【請求項１５】
前記少なくとも１個の更なる着色剤部分が、第３の正味の双極子を有する第３の着色剤部分と第４の正味の双極子を有する第４の着色剤部分とを含む請求項１０に記載のエレクトロウェッティング装置。
【請求項１６】
前記リンカーが、前記第１、第２、第３および第４の着色剤部分を結合させるために四価である請求項１５に記載のエレクトロウェッティング装置。
【請求項１７】
前記第１、第２、第３および第４の正味の双極子が、少なくとも部分的に互いに打ち消し合うように、前記リンカーが、前記リンカー周囲の配設において前記第１、第２、第３および第４の着色剤部分を結合させる請求項１６に記載のエレクトロウェッティング装置。
【請求項１８】
前記リンカーが、以下からなる群から選択され、
2016503188.tif 000004
式中、各ｎは、独立して、１、２、３、４、５、６、７または８であり、
Ｘ１およびＹ１の各々は独立して、Ｈおよびアルキル基からなる群から選択され、かつ／または
同じ炭素上のＸ２およびＹ２の対は、一緒になって、オキソ基であり、
Ａｌｋｙｌはアルキル基であり、アルキル基が、１個以上の炭素原子を有するアルキル基、または１〜３２個の炭素原子を有するアルキル基である請求項１７に記載のエレクトロウェッティング装置。
【請求項１９】
理想化された幾何学形状で描かれたとき、前記化合物が、前記リンカーの中心を二等分する少なくとも１個の平面において対称的である請求項１〜１８のいずれか一項に記載のエレクトロウェッティング装置。
【請求項２０】
前記リンカーが、実質的に平面的である請求項１〜１９のいずれか一項に記載のエレクトロウェッティング装置。
【請求項２１】
前記複数の着色剤部分のうちの少なくとも１個が、実質的に平面的である請求項１〜２０のいずれか一項に記載のエレクトロウェッティング装置。
【請求項２２】
前記リンカーが、環式基を含む請求項１〜２１のいずれか一項に記載のエレクトロウェッティング装置。
【請求項２３】
前記複数の着色剤部分の各々が、同じ着色剤部分である請求項１〜２２のいずれか一項に記載のエレクトロウェッティング装置。
【請求項２４】
前記複数の着色剤部分のうちの少なくとも１個が、前記複数の着色剤部分のうちの別の１個と異なる請求項１〜２２のいずれか一項に記載のエレクトロウェッティング装置。
【請求項２５】
前記化合物が染料である請求項１〜２４のいずれか一項に記載のエレクトロウェッティング装置。
【請求項２６】
前記複数の着色剤部分のうちの少なくとも１個が、以下の一般式を有するアゾ染料：
2016503188.tif 000005
以下の一般式を有するビスアゾ染料：
2016503188.tif 000006
以下の一般式を有するアントラキノン染料：
2016503188.tif 000007
以下の一般式を有するクマリン染料：
2016503188.tif 000008
以下の一般式を有するナフタキノン染料：
2016503188.tif 000009
以下の一般式を有するスクアライン染料：
2016503188.tif 000010
以下の一般式を有するスチルベン染料：
2016503188.tif 000011
および  以下の一般式を有するインドフェノール染料：
2016503188.tif 000012
からなる群から選択される染料に分類され、
式中、Ａ１〜Ａ６４の各々は独立して、請求項１〜２５のいずれか一項に記載のリンカー、水素（Ｈ）、１個以上の炭素原子を有するアルキル基、１〜３２個の炭素原子を有するアルキル基、ハロゲン原子、アルキル基、アルケニル基、オキソ基、アルコキシ基、チオール基、ヒドロキシル基、チオアルキル基、アリール基、ヘテロアリール基、アミン基、ニトロ基、シアノ基、アミド基、スルホニル基、カルボキシ基、トリフルオロメチル基からなる群から選択される請求項２５に記載のエレクトロウェッティング装置。
【請求項２７】
前記複数の着色剤部分のうちの少なくとも１個が、以下からなる群から選択される式を有するアゾ染料であり、
2016503188.tif 000013
式中、Ａｌｋｙｌはアルキル基であり、各アルキルが独立して、１個以上の炭素原子を有するアルキル基であるか、またはアルキルが、１〜３２個の炭素原子を有するアルキル基であり、
2016503188.tif 000014
Ａ６５〜Ａ６８の各々は独立して、請求項１〜２６のいずれか一項に記載のリンカー、Ｈ、１個以上の炭素原子を有するアルキル基、１〜３２個の炭素原子を有するアルキル基、ハロゲン原子、アルキル基、アルケニル基、オキソ基、アルコキシ基、チオール基、ヒドロキシル基、チオアルキル基、アリール基、ヘテロアリール基、アミン基、ニトロ基、シアノ基、アミド基、スルホニル基、カルボキシ基、トリフルオロメチル基からなる群から選択される請求項２５に記載のエレクトロウェッティング装置。
【請求項２８】
前記化合物を含む流体を含む請求項１〜２７のいずれか一項に記載のエレクトロウェッティング装置。
【請求項２９】
前記流体が提供される支持板と、電位を電極に印加することが前記流体の構成を変更するように、前記流体に対して配置される電極とを含む請求項２８に記載のエレクトロウェッティング装置。
【請求項３０】
少なくとも１個のエレクトロウェッティング素子であって、
第１の支持板と、
第２の支持板と、
前記化合物を含む前記流体と、
前記流体と非混和性の追加の流体であって、前記流体が前記第１の支持板と第２の支持板との間に配置される、追加の流体と、
電位を少なくとも１個の電極に印加することが前記流体の構成を変更するように、前記流体に対して配置される少なくとも１個の電極と、を含む、エレクトロウェッティング素子を含む請求項２８に記載のエレクトロウェッティング装置。
【請求項３１】
前記エレクトロウェッティング装置がディスプレイデバイスであり、各前記少なくとも１個のエレクトロウェッティング素子が画像素子である請求項３０に記載のエレクトロウェッティング装置。
【請求項３２】
前記複数の着色剤部分が、低減逆流のための構成において前記リンカーの周囲に配設される請求項３０または３１に記載のエレクトロウェッティング装置。
【請求項３３】
複数の着色剤部分およびリンカーを含む化合物であって、前記複数の着色剤部分が、第１の正味の双極子を有する第１の着色剤部分と、第２の正味の双極子を有する第２の着色剤部分とを含み、前記第１の正味の双極子および前記第２の正味の双極子が、少なくとも部分的に互いに打ち消し合うように、前記複数の着色剤部分が、前記リンカーによって結合されてそれの周囲に配設される化合物。
【請求項３４】
以下の一般式を有するアントラキノン染料を含むエレクトロウェッティング装置。
2016503188.tif 000015
（式中、Ａ２５〜Ａ３２は、各々独立して、請求項８、９、１４及び１８のいずれか一項に記載のリンカー、水素（Ｈ）、１個以上の炭素原子を有するアルキル基、１〜３２個の炭素原子を有するアルキル基、ハロゲン原子、アルケニル基、オキソ基、アルコキシ基、チオール基、ヒドロキシル基、チオアルキル基、アリール基、ヘテロアリール基、アミン基、ニトロ基、シアノ基、アミド基、スルホニル基、カルボキシ基及びトリフルオロメチル基からなる群から選択される基である。）